(57)【要約】      （修正有）【課題】光ドロップケーブルの引き留め作業性及び支持線の張力調整の改善、並びに長期間にわたる架設状態の保持が可能なケーブル引留具の提供。【解決手段】金属線２からなり、その一部に設けられた巻き付け部３と、巻き付け部に対して金属線の軸方向に沿って離間するように設けられた第２巻き付け部４と、巻き付け部と第２巻き付け部との間に確保され、金属線を折り曲げることで形成されるフック部５とを備える。巻き付け部及び第２巻き付け部は、ケーブルの軸を中心とする螺旋３Ａ、４Ａをピッチ３０Ａ、４０Ａで複数備え、螺旋の内径をケーブルの直径と同等以下とすると共に、ピッチ内でケーブルの軸方向で対面する金属線の縁の間を、金属線の軸方向直交断面における最大幅を超えるピッチ幅とし、フック部形成範囲５Ａを折り曲げることによって、巻き付け部と第２巻き付け部とが、螺旋の径方向で対向し、螺旋のピッチ方向が同方向となるように形成される。【選択図】図１
2018007397.tif 000002
【特許請求の範囲】
【請求項１】
ケーブルの架設時に、前記ケーブルの端部側を保持して、該ケーブルを引き留めるケーブル引留具であって、前記ケーブル引留具は、金属線からなり、前記金属線の一部に設けられた巻き付け部と、前記巻き付け部に対して前記金属線の軸方向に沿って離間するように前記金属線の一部に設けられた第２巻き付け部と、前記巻き付け部と前記第２巻き付け部との間に確保され、前記金属線を折り曲げることで形成されるフック部のフック部形成範囲とが備えられ、前記巻き付け部及び前記第２巻き付け部は、前記ケーブルの軸を中心とする螺旋を複数ピッチ備え、前記螺旋は、該螺旋の内径を前記ケーブルの直径と同等以下とすると共に、前記ピッチ内で前記ケーブルの軸方向で対面する前記金属線の縁の間を、前記金属線の軸方向直交断面における最大幅を超えるピッチ幅とし、且つ前記フック部形成範囲を折り曲げることによって、前記巻き付け部と第２巻き付け部とが、前記螺旋の径方向で対向し、対向した前記巻き付け部と前記第２巻き付け部における前記螺旋の前記ピッチ方向が同方向となるように形成されていることを特徴とするケーブル引留具。
【請求項２】
前記ピッチ幅が、前記前記金属線の軸方向直交断面における最大幅の２倍以内であることを特徴とする請求項１に記載のケーブル引留具。
【請求項３】
前記金属線が、複数本の金属線部材を束ねてなるものであることを特徴とする請求項１又は２に記載のケーブル引留具。
【請求項４】
請求項１乃至３いずれか１項に記載のケーブル引留具を用いたケーブル引留構造であって、前記フック部が、架設対象部に設けられた掛止部に掛止されていると共に、前記巻き付け部の前記螺旋が、前記ケーブルの外周に接触した状態で巻き付けられている一方、前記第２巻き付け部の前記螺旋が、前記ケーブルの外周に接触した状態で、前記巻き付け部の前記螺旋の前記ピッチ間に位置した状態で巻き付けられていることを特徴とするケーブル引留構造。
【発明の詳細な説明】
【技術分野】
【０００１】
本発明は、ケーブルを引き留めるケーブル引留具、及びこのケーブル引留具を用いたケーブル引留構造に関する。
【背景技術】
【０００２】
ケーブルを引き留めるケーブル引留具は、下記、特許文献１に記載のように、光ケーブルとこの光ケーブルを支持する支持線とを一体に備えた光ドロップケーブルの引留具が知られている。
【０００３】
この引留具は、柱や壁面の架設対象部に設けられた掛止部に引掛けるフック部、支持線を巻き付けるＴ字形の首部、支持線を首部に案内する巻き付け円筒部、及び支持線をガイドするガイド突起を備えており、屋外の電柱などに架線してある光ケーブルを屋内に引き込む際には、光ドロップケーブルの先端から中途までの一部の光ケーブルと支持線とを引き剥がして分離し、分離した支持線のみを巻き付けると共に、引掛け具を掛け具に引っ掛けることで、光ケーブルを屋内に引き込むことができるようになっている。
【先行技術文献】
【特許文献】
【０００４】
【特許文献１】特開２００７−１７８５６９号公報
【発明の概要】
【発明が解決しようとする課題】
【０００５】
この従来技術によると、分離した支持線のみを巻き付けると共に、引掛け具を掛け具に引っ掛けて光ドロップケーブルを架設するものであるので、光ドロップケーブルが架設されるときに、この光ドロップケーブルの軸方向に作用する張力を、光ケーブルに作用させることなく、光ドロップケーブルを架設できる。
【０００６】
この従来技術による引留具は、支持線を巻き付けるときに、先ず、支持線を首部に引っ掛けて折り返し、引掛けた部分が首部から外れないように、一方の手で引留具を持ちながら、折り返した先端を他方の手で引っ張って、支持線が弛まないように、支持線に必要な張力を与えながら行っている。
【０００７】
しかしながら、光ドロップケーブルは、相当の重量がある上に、支持線を引っ張った際に、引留具の首部への接触による摩擦力が生じるため、片手で支持線を引っ張って、支持線が弛まないように、支持線に必要な張力を与える作業が重労働であるという作業性の問題がある上に、支持線の張力の調整を行うことが極めて難しいという問題がある。
【０００８】
また、使用環境下の風等による光ドロップケーブルの揺れによって、支持線が接触する引留具の首部等の接点を支点として、支持線の曲げ伸ばしが繰り返されるため、この支持線の曲げ伸ばしによる支持線自体の早期の金属疲労や、支持線の曲げ伸ばしによる力が作用する引留具の首部等に早期の金属疲労が生じやすいと共に、この早期の金属疲労による支持線の破断や引留具の首部等の破損が生じやすく、これによって、長期間にわたる光ドロップケーブルの架設状態が保持できないという問題があり、特に、支持線と光ケーブルとの分岐点の揺れは複雑且つ大きいため、金属疲労の影響を受けやすい。
【０００９】
すなわち、従来の引留具は、光ドロップケーブルの引き留め作業の作業性の改善、支持線の張力の調整作業の作業性の改善、長期間にわたる光ドロップケーブルの架設状態の保持という各種問題点の解決が望まれている。
【課題を解決するための手段】
【００１０】
前記課題を解決するために、本発明が採用した手段は、ケーブルの架設時に、前記ケーブルの端部側を保持して、該ケーブルを引き留めるケーブル引留具であって、前記ケーブル引留具は、金属線からなり、前記金属線の一部に設けられた巻き付け部と、前記巻き付け部に対して前記金属線の軸方向に沿って離間するように前記金属線の一部に設けられた第２巻き付け部と、前記巻き付け部と前記第２巻き付け部との間に確保され、前記金属線を折り曲げることで形成されるフック部のフック部形成範囲とが備えられ、前記巻き付け部及び前記第２巻き付け部は、前記ケーブルの軸を中心とする螺旋を複数ピッチ備え、前記螺旋は、該螺旋の内径を前記ケーブルの直径と同等以下とすると共に、前記ピッチ内で前記ケーブルの軸方向で対面する前記金属線の縁の間を、前記金属線の軸方向直交断面における最大幅を超えるピッチ幅とし、且つ前記フック部形成範囲を折り曲げることによって、前記巻き付け部と第２巻き付け部とが、前記螺旋の径方向で対向し、対向した前記巻き付け部と前記第２巻き付け部における前記螺旋の前記ピッチ方向が同方向となるように形成されていることを特徴とするケーブル引留具である。
【００１１】
前述のケーブル引留具を用いたケーブル引留構造であって、前記フック部が、架設対象部に設けられた掛止部に掛止されていると共に、前記巻き付け部の前記螺旋が、前記ケーブルの外周に接触した状態で巻き付けられている一方、前記第２巻き付け部の前記螺旋が、前記ケーブルの外周に接触した状態で、前記巻き付け部の前記螺旋の前記ピッチ間に位置した状態で巻き付けられていることを特徴とするケーブル引留構造である。
【図面の簡単な説明】
【００１２】
【図１】（ａ）は本発明に係る実施形態のケーブル引留具の正面図であり、（ｂ）（ｃ）は、ピッチ幅を説明する断面図である。
【図２】(ａ)は光ドロップケーブルの正面図であり、(ｂ)は(ａ)の(ｂ)-(ｂ)線断面図である。
【図３】(ａ)は、本発明に係る実施形態のケーブル引留具を用いてケーブル引留構造を構成する第１工程図である。
【図４】(ｂ)〜(ｄ)は、本発明に係る実施形態のケーブル引留具を用いてケーブル引留構造を構成する第２工程図〜第４工程図であり、且つ（ｄ）は、ケーブル引留構造を示す。
【図５】本発明に係る実施形態のケーブル引留具によるケーブル引留構造を実施した光ドロップケーブルの架設状態を示す正面図である。
【図６】ケーブルの破断の有無を評価する実験に用いた実験装置の概略図である。
【発明を実施するための形態】
【００１３】
以下、本発明に係る実施形態のケーブル引留具、及びケーブル引留構造を図１〜図５に基づいて説明する。
【００１４】
ケーブル引留具１は、図１に示すように、金属線２の一端側に巻き付け部３を備えると共に、他端側に第２巻き付け部４を備え、且つ巻き付け部３と第２巻き付け部４との間に、フック部５（仮想線で示す部位）が形成される範囲であるフック部形成範囲５Ａを備えており、フック部形成範囲５Ａを折り曲げることによって、フック部５が形成できるようにされている。
【００１５】
金属線２は、２本の金属線部材２０同士を組み合わせて一体化してなるものであり、この２本の金属線部材２０同士を撚ることによって、金属線２の引っ張り強度及び把持力を高めることができるようにされている。
【００１６】
ここで、ケーブルＡ１は、光ケーブルＡ２とで、光ドロップケーブルＡを構成するものであり、図２に示すように、光ケーブルＡ２の軸と平行に、且つ光ケーブルＡ２と径方向で並ぶように配置されて、光ケーブルＡ２を支持するようにした支持線である。
【００１７】
また、ケーブルＡ１は、一本の金属線Ａ１１を、軟質の合成樹脂材からなる被覆材Ａ１０で被覆したものであり、架設時での張力に対する引っ張り強度に優れるものである。
【００１８】
光ケーブルＡ２は、ケーブルＡ１と被覆材Ａ１０を介して一体にされており、この被覆材Ａ１０でエレメントＡ２１及びテンションメンバＡ２２が被覆されている。
【００１９】
ケーブルＡ１と光ケーブルＡ２との間には、ケーブルＡ１と光ケーブルＡ２とを分離することができる小径部Ａ３が形成されており、光ドロップケーブルＡを引き留める際に、小径部Ａ３からケーブルＡ１と光ケーブルＡ２とを裂いて分離し、分離したケーブルＡ１に巻き付け部３、及び第２巻き付け部４を巻き付けるようにされている(図４(ｂ)〜(ｄ)参照)。
【００２０】
尚、ケーブルＡ１は、光ドロップケーブルＡの支持線のみを意味するものではなく、光ドロップケーブルＡ自身も含まれ、ケーブル引留具１の巻き付け部３、及び第２巻き付け部４を、光ドロップケーブルＡの外側に直接巻き付けるようにしてもよい。
【００２１】
巻き付け部３は、金属線２の軸を中心とする複数の螺旋３Ａで構成されており、この螺旋３Ａを、作業者の手でケーブルＡ１の外周に接触させて巻き付けるようにされている。
【００２２】
螺旋３Ａは、ピッチ３０Ａのピッチ幅Ｈ１が、巻き付け前の状態において、金属線２の軸方向に対する直交断面の最大幅を越えると共に、最大２倍とする幅の範囲で設定されている（図１（ｂ）参照）。
【００２３】
また、巻き付け部３のケーブルＡ１への巻き付け後に、ケーブルＡ１に張力を与える方向に沿って、金属線２に張力を与えることで、螺旋３Ａのピッチ３０Ａが軸方向に延び、ピッチ３０Ａの軸方向への延びに伴って、螺旋３Ａの径が縮まることで、螺旋３ＡがケーブルＡ１の外周に対して締め込むように把持するようにされている。
【００２４】
巻き付け前の螺旋３Ａの内径は、ケーブルＡ１の外径と同径、又はわずかに小径（巻き付けたときに被覆材Ａ１０が凹む程度）であることが好ましく、このような内径を有する螺旋３Ａとした巻き付け部３によると、螺旋３Ａの内周をケーブルＡ１の外周に接触させた状態での巻き付けを容易に行うことができる。
【００２５】
巻き付け部３をケーブルＡ１に巻き付ける際には、ケーブルＡ１を締め付けるように力を加えて行って、螺旋３Ａの内周を被覆材Ａ１０に食い込ませることによって、後述のように、金属線２の第２巻き付け部４側を、架設対象部Ｂの掛止部Ｂ１から離間する方向に引っ張って金属線２に張力を与える際に、ケーブルＡ１からの巻き付け部３のすっぽ抜けを防止できる。
【００２６】
第２巻き付け部４は、巻き付け部３と同じ形態の、金属線２の軸を中心とする複数の螺旋４Ａで構成されており、この螺旋４Ａを構成する金属線２を、螺旋３Ａのピッチ幅Ｈ１の間に位置させて、作業者の手でケーブルＡ１の外周に接触させて巻き付けるようにされている(図１（ｃ）、図４(ｄ)参照)。
【００２７】
第２巻き付け部４の螺旋４Ａは、ピッチ４０Ａのピッチ幅Ｈ２が螺旋３Ａのピッチ幅Ｈ１と同じ幅にされており、ピッチ幅Ｈ１内に螺旋４Ａを構成する金属線２を位置するように巻き付けたときに、互いのピッチ幅Ｈ１内、Ｈ２内に互いの金属線２が、ケーブルＡ１の軸に沿って交互に隣り合うように自動的に巻き付けられる(図１（ｂ）（ｃ）、図４(ｄ)参照)。
【００２８】
また、螺旋３Ａのピッチ幅Ｈ１の間に第２巻き付け部４の螺旋４Ａを巻き付けたときに、螺旋４Ａを構成する金属線２と、この金属線２を境として両側に位置する螺旋３Ａを構成する金属線２との間に、隙間Ｓ１、Ｓ２が生じるようにされている(図１（ｂ）（ｃ）、図４(ｄ)参照)。
【００２９】
巻き付け前の螺旋４Ａの内径は、巻き付け部３の螺旋３Ａと同様に、ケーブルＡ１の外径と同径、又はわずかに小径（巻き付けたときに被覆材Ａ１０が凹む程度）であることが好ましく、このような内径を有する螺旋４Ａとした第２巻き付け部４によると、螺旋４Ａの内周をケーブルＡ１の外周に接触させた状態での巻き付けを容易に行うことができる。
【００３０】
第２巻き付け部４をケーブルＡ１に巻き付ける際には、掛止部Ｂ１に、フック部形成範囲５Ａを掛け回すように折り曲げると共に、金属線２の第２巻き付け部４側を掛止部Ｂ１から離間する方向に引っ張って、ケーブルＡ１に張力を与えながら、第２巻き付け部４の螺旋４Ａの内周を被覆材Ａ１０に食い込ませるように巻き付けることによって、ケーブルＡ１からの巻き付け部３のすっぽ抜けを防止できる。
【００３１】
このとき、フック部形成範囲５Ａを掛止部Ｂ１に掛け回すように折り曲げてなるループ状のフック部５が形成され、このフック部５が掛止部Ｂ１に掛止されることによって、ケーブルＡ１の張力を保持することができる(図４(ｄ)参照)。
【００３２】
また、金属線２の第２巻き付け部４側を引っ張りながら、第２巻き付け部４の螺旋４ＡをケーブルＡ１に巻き付ける際に、ピッチ幅Ｈ１の範囲で螺旋４Ａを構成する金属線２の位置を変更することができる。
【００３３】
すなわち、螺旋４Ａを構成する金属線２の位置を、ピッチ幅Ｈ１の範囲において、Ｓ１≧Ｓ２又はＳ２≧Ｓ１とすることができるので、ケーブルＡ１の張力をピッチ幅Ｈ１の範囲で調整することができる（図１（ｂ）（ｃ）参照）。
【００３４】
また、巻き付け部３及び第２巻き付け部４の巻き付け後には、図５に示すように、架設された光ドロップケーブルＡが自重によって下方に撓んだり、風によって揺れたりする際の重量が、金属線２を引っ張る方向に作用する。
【００３５】
このとき、金属線２に作用する引っ張り力によって、螺旋３Ａ、４Ａのピッチ幅Ｈ１、Ｈ２が、ケーブルＡ１の軸に沿って拡がると共に、このピッチ幅Ｈ１、Ｈ２の拡がりによって、ケーブルＡ１に巻き付けられた螺旋３Ａ、４Ａの径が縮まって、ケーブルＡ１を更に締め込むことになるため、ケーブルＡ１に対する螺旋３Ａ、４Ａの巻き付け状態を保持することができると共に、引っ張り力によるケーブルＡ１に対する螺旋３Ａ、４Ａのすっぽ抜けを防止することができる。
【００３６】
ここで、ピッチ幅Ｈ１、Ｈ２とは、図１（ｂ）（ｃ）に示すように、ケーブルＡ１の軸に沿って、ピッチ３０Ａ内、４０Ａ内で対面する金属線２の縁２Ａ、２Ａ同士の間で構成される幅である。
【００３７】
尚、図１（ａ）図４（ｃ）（ｄ）では、螺旋３Ａ、４Ａのピッチ幅Ｈ１が、金属線２の軸方向に対する直交断面の最大幅を越えると共に、最大２倍とする幅の範囲となっていないが、これは、巻き付け状態を理解しやすくするために図示したものであり、実際には、図１（ｂ）（ｃ）で示すような形態となる。
【００３８】
フック部形成範囲５Ａには、巻き付け部３のケーブルＡ１に対する巻き付け位置を示す位置合わせ用の目印５０Ａが施されている。
【００３９】
目印５０Ａは、ケーブルＡ１と光ケーブルＡ２を分離する位置、及び巻き付け部３を巻き付ける位置を示すものであり、フック部形成範囲５Ａの軸方向の中央部(ケーブル引留具１の軸方向の中央部)に設定され、この目印５０Ａを境として、巻き付け部３側の長さと第２巻き付け部４側の長さがほぼ同じとなるようにされている。
【００４０】
このような位置に設定された目印５０Ａによって、ケーブルＡ１に対する巻き付け順が、巻き付け部３と第２巻き付け部４とで前後しても、同じように巻き付けることができる。
【００４１】
目印５０Ａの使用方法は、光ドロップケーブルＡを掛止部Ｂ１方向に引っ張りながら、目印５０Ａを掛止部Ｂ１に合わせると共に、目印５０Ａから巻き付け部３の軸方向に沿う範囲を、光ドロップケーブルＡに軸と平行に沿わせて、巻き付け部３を光ドロップケーブルＡに径方向で対面させることで、巻き付け部３を巻き付ける位置を設定することができる。
【００４２】
そして、光ドロップケーブルＡに目印５０Ａから巻き付け部３が対面した範囲に印等を施し、この目印に沿って、巻き付け部３を巻き付ける範囲のケーブルＡ１と光ケーブルＡ２とを分離することができる。
【００４３】
ケーブルＡ１と光ケーブルＡ２との分離後には、目印５０Ａに対面する部分でケーブルＡ１を切断する。
【００４４】
尚、光ドロップケーブルＡの被覆材Ａ１０を剥がす範囲は、目印５０Ａから巻き付け部３の端部までの長さよりも長い範囲とし、分離したケーブルＡ１への巻き付け作業スペースを確保できるようにすることが好ましい。
【００４５】
次に、ケーブル引留具１によるケーブルＡ１の引留構造１０を説明すると、この引留構造１０は、図３（ａ）〜図４(ｂ)〜(ｄ）の工程で構築される。
【００４６】
第１工程（図３(ａ)）：光ドロップケーブルＡを掛止部Ｂ１方向に引っ張りながら、目印５０Ａを掛止部Ｂ１に合わせると共に、目印５０Ａから巻き付け部３の軸方向に沿う範囲を、光ドロップケーブルＡに軸と平行に沿わせて、巻き付け部３を光ドロップケーブルＡに径方向で対面させる。
【００４７】
第２工程(図４(ｂ))：光ドロップケーブルＡに目印５０Ａから巻き付け部３が対面した範囲に沿って、巻き付け部３と径方向で対面する光ドロップケーブルＡの被覆材Ａ１０を裂いて、ケーブルＡ１と光ケーブルＡ２とを分離する。このとき、目印５０Ａに対面する部分でケーブルＡ１を切断する。
【００４８】
第３工程(図４(ｃ))：分離されると共に、切断されたケーブルＡ１に巻き付け部３の螺旋３Ａを巻き付ける。このとき、ケーブルＡ１の被覆材Ａ１０に対して螺旋３Ａを食い込ませるように、力を加えながら巻き付けるとよい。
【００４９】
第４工程(図４(ｄ))：フック部形成範囲５Ａを掛止部Ｂ１に掛け回すように折り曲げて、フック部５を形成すると共に、第２巻き付け部４側を引っ張って、ケーブルＡ１を介して光ドロップケーブルＡに張力を与えながら、第２巻き付け部４の螺旋４Ａをケーブルに巻き付けられている螺旋３Ａと径方向で対面させて、ケーブルＡ１に巻き付ける。このとき、ケーブルＡ１の外周に対して螺旋４Ａを食い込ませるように、力を加えながら巻き付けるとよい。
【００５０】
すなわち、第２巻き付け部４側を引っ張ることによる引っ張り力が、フック部５を介して巻き付け部３に作用し、この引っ張り力によって、螺旋３Ａのピッチ３０Ａの幅が拡がると共に、このピッチ３０Ａの幅の拡がりに伴って、螺旋３Ａの径が縮小して、螺旋３ＡによるケーブルＡ１の締め付け力が高まるため、第２巻き付け部４側を引っ張ることによる引っ張り力が作用しても、ケーブルＡ１からの螺旋３Ａの抜けを防止することができる。
【００５１】
また、第２巻き付け部４側を引っ張ることによる引っ張り力が作用しても、ケーブルＡ１からの螺旋３Ａの抜けを防止することができるので、第２巻き付け部４側を両手で持って引っ張ることができ、これによって、光ドロップケーブルＡに必要な張力を与えることが、確実、且つ容易にできる。
【００５２】
第２巻き付け部４の螺旋４ＡをケーブルＡ１に巻き付ける場合、巻き付け部３の螺旋３Ａのピッチ幅Ｈ１の範囲に位置させて巻き付けると共に、ピッチ幅Ｈ１の範囲に位置した螺旋４Ａを構成する金属線２が、ピッチ幅Ｈ１の範囲において、隙間Ｓ１≧隙間Ｓ２又は隙間Ｓ２≧隙間Ｓ１（図示においては隙間Ｓ１=隙間Ｓ２）となるようにして巻き付ける。
【００５３】
これによって、巻き付け部３と第２巻き付け部４とが巻き付けられた状態で、螺旋３Ａのピッチ幅Ｈ１の範囲と螺旋４Ａのピッチ幅Ｈ２の範囲に、螺旋３Ａ、４Ａの締め付け力が及ばない隙間Ｓ１、Ｓ２が生じると共に、二つの螺旋３Ａ、４Ａの金属線２をケーブルＡ１の外周に対して食い込ませることができる。
【００５４】
巻き付け部３と第２巻き付け部４とが巻き付けられたときには、ループ状のフック部５が形成され、このフック部５が掛止部Ｂ１に掛止された状態となる。
【００５５】
以上の工程によって、巻き付け部３と第２巻き付け部４とを、必要な締め付け力でケーブルＡ１に巻き付けることができると共に、光ドロップケーブルＡに必要な張力を保持した状態で、フック部５を掛止部Ｂ１に掛止することができる。
【００５６】
光ドロップケーブルＡは、図５に示すように、離間して位置する架設対象部Ｂ、Ｂ’間にわたるように架設されるため、架設対象部Ｂ’側にケーブルＡ１を引き留めるときにも、前述の工程と同じ工程によって、巻き付け部３と第２巻き付け部４とをケーブルＡ１に巻き付けると共に、フック部５を掛止部Ｂ１’に掛止する。
【００５７】
光ドロップケーブルＡの架設作業は、架設対象部Ｂ側、或いは架設対象部Ｂ’側のいずれか一方から行うが、最初にケーブルＡ１を引き留めるときには、第４工程のように第２巻き付け部４側を引っ張ると、光ドロップケーブルＡの重量がケーブル引留具１に作用し、ケーブルＡ１に対する螺旋３Ａの必要な締め付け力を確保することができる。
【００５８】
また、第４工程のように、第２巻き付け部４をケーブルＡ１に巻き付けるときにも、光ドロップケーブルＡの重量がケーブル引留具１に作用しているため、ケーブルＡ１に対する螺旋４Ａの必要な締め付け力を確保することができる。
【００５９】
すなわち、架設対象部Ｂ側、或いは架設対象部Ｂ’側のいずれか一方側で、最初にケーブルＡ１を引き留めた後、他方側で前述の工程に沿ってケーブルＡ１を引き留める際には、最初に引き留めたケーブルＡ１に対するケーブル引留具１の巻き付け部３、及び第２巻き付け部４の巻き付け状態が確実に保持されているので、他方側でのケーブルＡ１を引き留める作業を確実に行うことができると共に、光ドロップケーブルＡに必要な張力を与えた状態で、この光ドロップケーブルＡを架設対象部Ｂと架設対象部Ｂ’とにわたって架設することができる。
【００６０】
以上の工程によって構成されたケーブル引留構造１０は、巻き付け部３、及び第２巻き付け部４の複数の螺旋３Ａ、４Ａが、ケーブルＡ１の被覆材Ａ１０に食い込むように巻き付けられていると共に、巻き付け部３、及び第２巻き付け部４をケーブルＡ１に巻き付けることによって形成されたフック部５が掛止部Ｂ１、Ｂ１’に掛止されている。
【００６１】
このような形態で架設された光ドロップケーブルＡは、下方に垂れ下がる方向に撓もうとするため、この撓みによってケーブル引留具１には、掛止部Ｂ１、Ｂ１’から離間する方向に引っ張り力が生じるが、この引っ張り力によって、螺旋３Ａ、４ＡがケーブルＡ１をより締め付けるため、ケーブルＡ１に対するケーブル引留具１の把持力が大きくなる。
【００６２】
また、風によって光ドロップケーブルＡが揺れたときにも、ケーブル引留具１には、掛止部Ｂ１、Ｂ１’から離間する方向に引っ張り力が生じるが、この引っ張り力によって、螺旋３Ａ、４ＡがケーブルＡ１をより締め付けるため、ケーブルＡ１に対するケーブル引留具１の把持力が大きくなる。
【００６３】
すなわち、光ドロップケーブルＡの通常の架設状態でも、この通常の架設状態において光ドロップケーブルＡが揺れても、ケーブル引留具１の螺旋３Ａ、４ＡによるケーブルＡ１の把持力が確保されるので、光ドロップケーブルＡの架設状態を確実に保持することができる。
【００６４】
また、ケーブルＡ１に巻き付けた螺旋３Ａ、４Ａのピッチ幅Ｈ１、Ｈ２の範囲に、螺旋３Ａ、４Ａの締め付け力が及ばない隙間Ｓ１、Ｓ２が確保されているため、巻き付け部３と第２巻き付け部４の軸方向の範囲において、この隙間Ｓ１、Ｓ２を除いた、螺旋３Ａ、４Ａを構成する金属線２のみの締め付け力でケーブルＡ１を把持することができる。
【００６５】
しかも、螺旋４Ａを構成する金属線２の巻き付け位置をピッチ幅Ｈ２の範囲内で、且つ隙間Ｓ１≧隙間Ｓ２又は隙間Ｓ２≧隙間Ｓ１となるように調整を行うことによって、ケーブルＡ１の張力を調整することができる。
【００６６】
以上のように、本発明に係る実施形態のケーブル引留具１によると、ケーブルＡ１が弛まないように、このケーブルＡ１に必要な張力を与える作業の容易性を向上できると共に、ケーブルＡ１の張力の調整を確実に行うことができる。
【００６７】
次に、ケーブルＡ１をケーブル引留具１で引き留めた場合に生じる金属疲労に対するケーブルＡ１の耐久性と、ケーブルＡ１を特許文献１に記載の引留具で引き留めた場合に生じる金属疲労に対するケーブルＡ１の耐久性とを、以下の実験方法により比較した。
【００６８】
実験方法：図６に示す実験装置Ｃを用いると共に、表１に示す実験条件で、加振器Ｃ１によって強制的に共振状態を発生させてケーブルＡ１に金属疲労を与え、ケーブル引留具１に引き留められたケーブルＡ１及び引留具１００で引き留められたケーブルＡ１の疲労破断の有無を評価する。
【００６９】
この実験装置Ｃは、８ｍの間隔で設置された支持柱Ｃ２、Ｃ３間に支持ケーブルＣ４を架設し、この支持ケーブルＣ４の支持柱Ｃ２から５ｍの位置に、ケーブルＡ１の一端を、ケーブル引留具１又は引留具１００を介して接続すると共に、他端を天井側に設けられた支持具Ｃ５にケーブル引留具１又は引留具１００を介して接続する。
【００７０】
また、支持ケーブルＣ４に加振器Ｃ１を接続し、この加振器Ｃ１によって、支持ケーブルＣ４に振動を与え、この支持ケーブルＣ４の振動をケーブルＡに伝えるようにする。
【００７１】
また、支持柱Ｃ３と支持ケーブルＣ４の端部との間と、支持具Ｃ５とケーブル引留具１又は引留具１００との間とにロードセルＣ５、Ｃ６を配置し、このロードセルＣ５、Ｃ６で支持ケーブルＣ４の張力を計測する。
【００７２】
【表１】
2018007397.tif 000003
【００７３】
前述の実験の結果、従来発明に係る引留具１００により引き留められたケーブルＡ１は、約２万回の振動（時間にして約６８００秒）で破断したのに対し、本願発明に係るケーブル引留具１により引き留められたケーブルＡ１は、約１００万回の振動（時間にして約３２５００秒）でも破断しなかった。
【００７４】
したがって、本願発明に係るケーブル引留具１は、従来発明に係る引留具１００に比べ、ケーブルＡ１に対する金属疲労を大幅に軽減でき、これによって、長期間にわたる光ドロップケーブルＡの架設状態を保持することができる。
【００７５】
また、今回の実験においては、ケーブル引留具１自体の破断もなかったことから、本願発明に係るケーブル引留具１は、ケーブルＡ１の金属疲労の軽減のみならず、ケーブル引留具１自体の金属疲労も軽減できる。
【００７６】
尚、螺旋３Ａ、及び螺旋４Ａのピッチ数は、夫々、２ピッチ以上の複数ピッチであればよいが、このピッチ数は、螺旋３Ａ及び螺旋４Ａのピッチ幅Ｈ１、Ｈ２及び金属線部材２０の径、金属線部材２０の本数によって調整するとよい。
【００７７】
すなわち、金属線部材２０の径に応じて、金属線部材２０の本数(一本〜複数本)を決定し、金属線部材２０から得られた金属線２の最大幅径に応じて、前述の把持力が発揮できる螺旋３Ａ及び螺旋４Ａのピッチ数を決定する。
【００７８】
また、本発明は、例示した実施形態に限定するものではなく、特許請求の範囲の各項に記載された内容から逸脱しない範囲の構成による実施が可能である。
【符号の説明】
【００７９】
１：ケーブル引留具
１０：ケーブル引留構造
２：金属線
２Ａ：縁
２０：金属線部材
３：巻き付け部
３Ａ：螺旋
３０Ａ：ピッチ
４：第２巻き付け部
４Ａ：螺旋
４０Ａ：ピッチ
５：フック部
５Ａ：フック部形成範囲
Ａ：光ドロップケーブル
Ａ１：ケーブル(支持線)
Ａ１０：被覆材
Ａ２：光ケーブル
Ｂ：架設対象部
Ｂ’：架設対象部
Ｂ１：掛止部
Ｂ１’：掛止部
Ｈ１：ピッチ幅
Ｈ２：ピッチ幅
【図１】
2018007397.tif 000004
【図２】
2018007397.tif 000005
【図３】
2018007397.tif 000006
【図４】
2018007397.tif 000007
【図５】
2018007397.tif 000008
【図６】
2018007397.tif 000009